(57)【要約】【課題】ファンの風向きが吐き出し側のほうが昇温抑制効果が大きい場合、正逆回転可能なファンを用いてプリント時には吐き出し側、スタンバイ時には吸い込み側にすることで、スタンバイ中にも騒音を抑えつつファンを回転させることで昇温対策ができる。【解決手段】冷却ファンモータの羽の回転方向を正転、逆転と切り替えることが可能な冷却ファンモータと、プリント状態、スタンバイ状態を検知するプリント状態検出手段を有する画像記録装置において、プリント状態、スタンバイ状態で冷却ファンモータの回転方向を切り替える。【選択図】        図１
2006126250.tif 000002
【特許請求の範囲】
【請求項１】
冷却ファンモータの羽の回転方向を正転、逆転と切り替えることが可能な冷却ファンモータと、プリント状態、スタンバイ状態を検知するプリント状態検出手段を有する画像記録装置において、プリント状態、スタンバイ状態で冷却ファンモータの回転方向を切り替えることを特徴とする画像記録装置。
【請求項２】
機内温度を検出する機内温度検出手段を備え、検出温度によって回転方向を切り替えることを特徴とする請求項１記載の画像記録装置。
【発明の詳細な説明】
【技術分野】
【０００１】
本発明は複写機やレーザプリンタ等の電子写真プロセスを用いた画像形成装置の冷却ファン制御方法係る画像記録装置に関するものである。
【背景技術】
【０００２】
従来、この種の画像記録装置においてはトナーを定着するためにヒータが備えられており、このヒータ発熱による影響及び、画像記録装置内の電子部品を有する電源基板及びコントロール基板、カートリッジ、メカ部品等々の温度上昇を抑えるために、例えば特許文献１のように冷却用のファンが設けられており、冷却ファンを回転させて風路を形成させることで画像記録装置内部の昇温を抑えている。
【特許文献１】特開平０６−２０２３９８号公報
【発明の開示】
【発明が解決しようとする課題】
【０００３】
しかしながら、ファンを回転させる場合、ファンが回転することによる羽の風切り音による騒音が問題になる。
【０００４】
特に画像記録装置内の熱い空気を機外に出させる方向の回転、つまりファンを吐き出し方向に回転させた場合の騒音が大きくなる。
【０００５】
よって、吸い込み側にファンの羽を回転させる場合よりも吐き出し側にファンの羽を回転させるほうが温度抑制効果が大きい場合は吐き出し方向に回転を設定している。
【０００６】
この場合、プリント時はファン以外の紙の搬送音やモータ等の駆動音が大きいために吐き出し方向にファンを回転させても問題はでてこないが、プリントを停止した場合、つまりスタンバイ時においてはファンを停止せざるを得ず、スタンバイ時に温度上昇を抑えることができないという問題があった。
【０００７】
本発明は、以上の点に着目して成されたもので、ファンの風向きが吐き出し側のほうが昇温抑制効果が大きい場合、正逆回転可能なファンを用いてプリント時には吐き出し側、スタンバイ時には吸い込み側にすることで、スタンバイ中にも騒音を抑えつつファンを回転させることで昇温対策ができる画像記録装置を提供することを目的とする。
【課題を解決するための手段】
【０００８】
本発明では冷却ファンモータの羽の回転方向を正転、逆転と切り替えることが可能な冷却ファンモータと、プリント状態、スタンバイ状態を検知するプリント状態検出手段を有する画像記録装置において、プリント状態、スタンバイ状態で冷却ファンモータの回転方向を切り替え、プリント状態のときは吐き出し方向回転、スタンバイ状態のときは吸い込み方向回転のような制御を行う。
【０００９】
また、機内の温度を検知する機内温度検出手段によって機内温度によって回転方向を切り換る。
【００１０】
このような制御を行うことでスタンバイ中にもファンを駆動させることによって温度上昇を抑制し、かつ騒音も小さく抑えることが可能となる。
【発明の効果】
【００１１】
冷却ファンモータの羽の回転方向を正転、逆転と切り替えることが可能な冷却ファンモータと、プリント状態、スタンバイ状態を検知するプリント状態検出手段を有する画像記録装置において、プリント状態、スタンバイ状態で冷却ファンモータの回転方向を切り替える。
【００１２】
このような制御を行うことで、スタンバイ中にもファンを駆動させることによって温度上昇を抑制し、かつ騒音も小さく抑えることが可能となる。
【発明を実施するための最良の形態】
【００１３】
以下に、本発明の実施の形態を図面に基づいて説明する。
【実施例１】
【００１４】
以下、図面に基づき説明する。
【００１５】
図１は電子写真プロセスを用いた画像形成装置の概略構成図であり、例えばレーザビームプリンタの場合を示している。
【００１６】
レーザビームプリンタ本体１０１（以下、本体１０１）は、記録紙Ｓを収納するカセット１０２を有し、カセット１０２の記録紙Ｓの有無を検知するカセット有無センサ１０３、カセット１０２の記録紙Ｓのサイズを検知するカセットサイズセンサ１０４（複数個のマイクロスイッチで構成される）、カセット１０２から記録紙Ｓを繰り出す給紙ローラ１０５等が設けられている。そして、給紙ローラ１０５の下流には記録紙Ｓを同期搬送するレジストローラ対１０６が設けられている。また、レジストローラ対１０６の下流にはレーザスキャナ部１０７からのレーザ光に基づいて記録紙Ｓ上にトナー像を形成する画像形成部１０８が設けられている。さらに、画像形成部１０８の下流には記録紙Ｓ上に形成されたトナー像を熱定着する定着器１０９が設けられており、定着器１０９の上流には給紙した紙を検知するトップセンサ１５０、定着器１０９の下流には排紙部の搬送状態を検知する排紙センサ１１０、記録紙Ｓを排紙する排紙ローラ１１１、記録の完了した記録紙Ｓを積載する積載トレイ１１２が設けられている。
【００１７】
また、トナーを交換するために開閉するドア１５１が設けられている。
【００１８】
なお、このドア１５１にはドア開閉スイッチ１５２は開閉検知回路に接続されており、ドア開閉状態を検知することができる。
【００１９】
また、前記レーザスキャナ１０７は、後述する外部装置１２８から送出される画像信号（画像信号ＶＤＯ）に基づいて変調されたレーザ光を発光するレーザユニット１１３、このレーザユニット１１３からのレーザ光を後述する感光ドラム１１７上に走査するためのポリゴンモータ１１４、結像レンズ１１５、折り返しミラー１１６等により構成されている。
【００２０】
そして、前記画像形成装置１０８は、公知の電子写真プロセスに必要な、感光ドラム１１７、１次帯電ローラ１１９、現像器１２０、転写帯電ローラ１２１、クリーナ１２２等から構成されている。また、定着器１０９は定着フィルム１０９ａ、加圧ローラ１０９ｂ、定着フィルム内部に設けられた発熱体を備えたセラミックヒータ１０９ｃ、セラミックヒータ１０９ｃの発熱体毎の表面温度を検出するサーミスタ１０９ｄから構成されている。
【００２１】
また、メインモータ１２３は、給紙ローラ１０５には給紙ローラクラッチ１２４を介して、レジストローラ対１０６にはレジストローラ１２５を介して駆動力を与えており、更に感光ドラム１１７を含む画像形成部１０８の各ユニット、定着器１０９、排紙ローラ１１１にも駆動力を与えている。
【００２２】
また、１２９は正逆回転方向切り替え可能な冷却ファンモータである。
【００２３】
３０９は機内温度を検知する機内温度センサであり、機内の温度を検知する。
【００２４】
そして１２６はエンジンコントローラであり、レーザスキャナ部１０７、画像形成部１０８、定着器１０９による電子写真プロセスの制御、前記本体１０１内の記録紙の搬送制御、冷却ファンモータ１２９の回転制御を行っている。
【００２５】
１２６内には制御を行うためのＣＰＵ１３５が設けられており、冷却ファンモータ１２９の駆動制御及び、ＬＢＰ本体の全般制御を行っている。
【００２６】
そして、１２７はビデオコントローラであり、パーソナルコンピュータ等の外部装置１３１と汎用のインタフェース（セントロニクス、ＲＳ２３２Ｃ等）１３０で接続されており、この汎用インタフェースから送られてくる画像情報をビットデータに展開し、そのビットデータをＶＤＯ信号として、エンジンコントローラ１２６へ送出している。
【００２７】
図２に本発明における冷却ファン１２９及び機内温度センサ３０９の制御回路を示す。
【００２８】
この回路図においてＣＰＵ１３５から抵抗５０１を介してトランジスタ５０２のベースへ、エミッタはＧＮＤ、コレクタは抵抗５０３を介してＶｃｃへ、トランジスタ５０２のコレクタはトランジスタ５０４のベースへ、５０４のベースはＶｃｃへ、コレクタは冷却ファン１２９に接続されている。
【００２９】
ＣＰＵ１３５の信号をＨ，Ｌ切り替えることでファンを駆動させることが可能である。
【００３０】
また、ＣＰＵ１３５からは抵抗５０５を介して冷却ファン１２９に接続されており、冷却ファン１２９がロック状態になったときには所定の信号がＣＰＵ１３５に送られる。
【００３１】
また、ＣＰＵ１３５からは抵抗５０５を介して冷却ファン１２９に接続されており、冷却ファン１２９の回転方向を正転、逆転と切り替えることができる。
【００３２】
また、機内温度センサ３０９の片方はＧＮＤへ接続、もう片方は抵抗５０７を介してＶｔへ、また抵抗５０８を介してＣＰＵ１３５に接続されており、機内の温度を検知する。
【００３３】
ＣＰＵ１３５にはＲＯＭ１３５ａ、コンパレータ１３５ｂが内蔵されており、あらかじめ決められた設定温度Ｔ１と検出温度Ｔｔの比較を行うことができる。
【００３４】
それでは本実施例についてフローチャートをもとに説明する。
【００３５】
本実施例のフローチャートを示したものが図３である。
【００３６】
まず、プリント信号が送られてきたかどうかを判断し（ステップＳ１）、プリント中であればＳＷＣＨ信号をＨレベル、すなわち吐き出し方向に設定し（Ｓ２）、ＦＯＮ信号をＨレベルにし（Ｓ３）ファン１２９を駆動させる。次にプリント停止かどうかを判断し（Ｓ４）、プリントが停止されていればＦＯＮ信号をＬレベルにし（Ｓ５）、Ｓ６へ進む。Ｓ１においてプリント信号が送られていなければＳＷＣＨ信号をＬレベル、すなわち吸い込み方向に設定し（Ｓ６）、ＦＯＮ信号をＨレベルにし（Ｓ７）ファン１２９を駆動させる。次にプリント信号が送られてきたかどうかを判断し（Ｓ８）、プリントが送られていればＦＯＮ信号をＬレベルにし（Ｓ９）、Ｓ２へ進む。
【００３７】
このような制御を行うことでプリント時にはファンを吐き出し方向へ回転させ、プリント停止時、つまりスタンバイ時にはファンを吸い込み方向へ回転させることが可能になる。
【実施例２】
【００３８】
本実施例は全体的な構成は実施例１とほとんど同じであるが実施例１ではプリントかスタンバイかで回転方向を切り替えていたのに対して本実施例では機内の温度を検知して温度によって回転方向を切り替えるものである。
【００３９】
実施例２についてフローチャートをもとに説明する。
【００４０】
本実施例のフローチャートを示したものが図４である。
【００４１】
まず、プリント信号が送られてきたかどうかを判断し（ステップＳ１１）、プリント信号が送られてきたのであれば検知温度Ｔｔがあらかじめ決められた設定値Ｔ１より温度が低いかどうか判断し（Ｓ１２）、高ければＳＷＣＨ信号をＨレベル、すなわち吐き出し方向に設定し（Ｓ２１）、ＦＯＮ信号をＨレベルにし（Ｓ２２）ファン１２９を駆動させる。次にプリント停止かどうかを判断し（Ｓ２３）、プリントが停止されていれば検知温度Ｔｔがあらかじめ決められた設定値Ｔ１より温度が低いかどうか判断し（Ｓ２４）高ければＳ２３へ、低ければＦＯＮ信号をＬレベルにし（Ｓ２５）、ファンを停止させＳＷＣＨ信号をＬレベル、すなわち吸い込み方向に設定し（Ｓ２６）、Ｓ１９へ。
【００４２】
ステップＳ１２において温度がＴ１より低ければＳＷＣＨ信号をＬレベル、すなわち吸い込み方向に設定し（Ｓ１３）、ＦＯＮ信号をＨレベルにし（Ｓ１４）ファン１２９を駆動させる。次にプリント停止かどうかを判断し（Ｓ１５）、プリントが停止されていれば検知温度Ｔｔがあらかじめ決められた設定値Ｔ１より温度が高いかどうか判断し（Ｓ１６）高ければＳ１５へ、低ければＦＯＮ信号をＬレベルにし（Ｓ１７）、ファンを停止させＳＷＣＨ信号をＨレベル、すなわち吐き出し方向に設定し（Ｓ１８）、プリント停止かどうかを判断し（Ｓ２０）、プリント停止であればＳ２７へ。
【００４３】
Ｓ１１においてプリント指示がなければＳＷＣＨ信号をＬレベル、すなわち吸い込み方向に設定し（Ｓ２７）、ＦＯＮ信号をＨレベルにし（Ｓ２８）ファン１２９を駆動させる。次にプリント信号が送られてきたかどうかを判断し（Ｓ２９）、プリントが送られていればＳ１２へ進む。
【００４４】
このような制御を行うことでプリント時でかつ機内温度が高い場合にはファンを吐き出し方向へ回転させ、機内温度が低い場合にはファンを吸い込み方向に回転させることで最適なファン制御及び、騒音をできるだけ小さくすることが可能となる。
【図面の簡単な説明】
【００４５】
【図１】本発明における画像記録装置の概略図
【図２】発明におけるファンモータの制御回路を示す図
【図３】本発明実施例１を示すフローチャート
【図４】本発明実施例２を示すフローチャート
【符号の説明】
【００４６】
１０１  画像形成装置
１０９  熱定着器
１２９  冷却ファン
１３５  ＣＰＵ
３０９  機内検知センサ
【図１】
2006126250.tif 000003
【図２】
2006126250.tif 000004
【図３】
2006126250.tif 000005
【図４】
2006126250.tif 000006